(57)【特許請求の範囲】
【請求項１】
アジャストナットを回転させるためのアウタレンチと、アジャストボルトを回転させるためのインナレンチを備えたタペット調整治具であって、前記アウタレンチは、ラチェット式のトルク管理機構を備えるとともに、前記インナレンチを挿通せしめるための挿通孔と回転操作体を有し、この回転操作体は、アウタレンチ本体の軸部に回転可能に嵌合するリング部材と、このリング部材に固着される一対のハンドル部材からなり、前記トルク管理機構は、前記リング部材の下面に所定間隔置きに設けると共に底面をカム面とする放射溝とスチールボールの係合力をバネの付勢力で調整する構成であることを特徴とするタペット調整治具。
【発明の詳細な説明】
【０００１】
【発明の属する技術分野】
本発明は、例えば車両用エンジンのタペットクリアランスを調整する治具に関する。
【０００２】
【従来の技術】
従来、例えば車両用エンジンのタペットクリアランスを調整する作業は、タペット隙間にシックネスゲージを挿入した状態でアジャストボルトをねじ込んでクリアランスを調整し、所望のクリアランスが得られた時点でアジャストナットを締付けて固定し、シックネスゲージを抜き出した後、トルクレンチを使用してアジャストナットを規定のトルクで締め付けるような作業流れが一般的であり、このような作業では、複数の治具が必要となって作業が煩雑化することから、例えば特開昭５０−１１９４００号のように単一の工具で一連の作業を行うような技術が知られている。
【０００３】
【発明が解決しようとする課題】
ところが、上記技術の調整工具は機構が複雑で取扱いも熟練を要し、初心者等が簡単に取り扱うわけにはいかず、また装置構成にコストがかかるという問題がある。
【０００４】
そこで本発明は、熟練度の低い初心者でも簡単に取り扱うことが出来、調整作業を円滑に且つ正確に行えるとともに、簡素な構成の調整治具を提供することを目的とする。
【０００５】
【課題を解決するための手段】
上記目的を達成するため本発明は、アジャストナットを回転させるためのアウタレンチと、アジャストボルトを回転させるためのインナレンチを備えたタペット調整治具において、アウタレンチに、ラチェット式のトルク管理機構を設けるとともに、インナレンチを挿通せしめることの出来る挿通孔と回転操作体を有し、この回転操作体は、アウタレンチ本体の軸部に回転可能に嵌合するリング部材と、このリング部材に固着する一対のハンドル部材からなり、トルク管理機構は、リング部材の下面に所定間隔置きに設けると共に底面をカム面とする放射溝とスチールボールの係合力をバネの付勢力で調整する構成とした。
【０００６】
このようにアウタレンチにラチェット式のトルク管理機構を設ければ、インナレンチでアジャストボルトをねじ込んでタペットクリアランスを調整した後、アウタレンチでアジャストナットを締付固定すると同時に規定のトルクに設定することが出来、作業が簡素化される。
また、挿通孔にインナレンチを挿通させれば、全体がコンパクトに纏まり、また一連の作業を効率良く行えるようになる。
ここでラチェット式のトルク管理機構としては、例えばラチェット歯を利用した係合機構によって規定のトルクで締付固定出来るような機構をいう。
【０００８】
そして、バネの付勢力を変化させて締付トルクを調整するようにすれば、装置が簡素化されるとともに締付トルクの調整が容易となる。
【０００９】
【発明の実施の形態】
本発明の実施の形態について添付した図面に基づき説明する。
ここで図１は本発明に係るタペット調整治具の使用状態を示す説明図、図２はアウタレンチの説明図、図３、図４はアウタレンチのトルク管理機構の説明図で、図３（ａ）は回転操作体の全体図、図３（ｂ）はリング部材の放射溝の説明図、図３（ｃ）は図３（ｂ）のＡ−Ａ線断面図、図４はアウタレンチ本体の中間フランジ部の説明図である。
【００１０】
本発明に係るタペット調整治具は、例えば車両用エンジンのタペットクリアランスを調整する際、熟練度の低い人でも正確に調整作業を行うことが出来るようにされ、簡易な構造でありながら締付トルクの調整も簡単に出来るようにされている。
【００１１】
すなわち、本タペット調整治具１は、図１に示すように、アジャストナットＮを締め付けるためのアウタレンチ２と、アジャストボルトＢを調整するためのインナレンチ３を備えており、アジャストボルトＢとステムＳの間にシックネスゲージｇを挿入し、本タペット調整治具１を用いてタペット隙間を調整出来るようにされている。
【００１２】
前記アウタレンチ２は、図２に示すように、中心部に挿通孔ｈを備えたアウタレンチ本体４と、このアウタレンチ本体４の中間フランジ部４ｆの上部に配設される回転操作体５と、この回転操作体５の上部に配設されるバネ６と、このバネ６の付勢力を調整するための第１、第２ロックナット７、８を備えており、アウタレンチ２の下端側には、アジャストナットＮに嵌合する嵌合部４ｋが設けられている。
【００１３】
そして前記回転操作体５は、図３（ａ）にも示すように、アウタレンチ本体４の軸部に回転可能に嵌合するリング部材１０と、このリング部材１０に溶接等で固着される一対のハンドル部材１１を備え、前記リング部材１０の下面（中間フランジ部４ｆ対面側）には、図３（ｂ）（ｃ）に示すような複数の放射溝１０ｍが所定間間隔置きに設けられている。
【００１４】
そしてこの放射溝１０ｍの底面はカム面とされ、図３（ｃ）に示すように、締付回転方向の上流側が急激に落ち込む段差部となり、下流側が傾斜面部とされている。
【００１５】
前記アウタレンチ本体４の中間フランジ部４ｆの上面（回転操作体５対面側）には、図４に示すように、複数箇所のボール収容溝ｎが形成され、このボール収容溝ｎにスチールボール１２（図２）が配設されている。
そして前記リング部材１０の放射溝１０ｍとスチールボール１２が係合するようにされ、また放射溝１０ｍとスチールボール１２の圧接力をバネ６で調整出来るようにされている。
【００１６】
そして放射溝１０ｍ、スチールボール１２、バネ６等によってトルク管理機構Ｔを構成しており、回転操作体５を回転させると、スチールボール１２と放射溝１０ｍの係合によってアウタレンチ本体４が連れ回されるようにしている。
【００１７】
以上のようなアウタレンチ本体４を図２に示すような状態で組付けた後、嵌合部４ｋにアジャストナットＮを嵌合させて、操作回転体５のハンドル１１を時計方向に回転させると、放射溝１０ｍとスチールボール１２が係合してアウタレンチ本体４が回転し、アジャストナットＮが締付けられる。
そして、アジャストナットＮが締付けられて回転トルクが一定値以上に高まり、このトルクが放射溝１０ｍとスチールボール１２の係合力を超えるようになると、スチールボール１２は放射溝１０ｍの傾斜面部を滑り出すようになり、操作回転体５だけが空回りしてアウタレンチ本体４の回転は停止する。
【００１８】
この回転トルクの調整は、放射溝１０ｍとスチールボール１２の係合力の調整、すなわち、バネ６の付勢力を変えることによって行うことが可能であり、例えば第１、第２ロックナット７、８を締め付けると、バネ６の付勢力が高まって回転トルクを高めることが可能であり、逆に第１、第２ロックナット７、８を弛めると、バネ６の付勢力が弱まって回転トルクを下げることが可能である。
【００１９】
前記インナレンチ３は、アウタレンチ本体４の挿通孔ｈに挿入されて先端のドライバー部３ａをアジャストボルトＢの溝等に係合させて回転させることが出来るようにされ、実施例では、基端側に操作部３ｓとラチェット機構部３ｒを備えた一般市販品が使用されるとともに、最終的にラチェット機構部３ｒで締め付けることにより、アジャストボルトＢの締込みのバラツキを無くし、タペットクリアランスを一定にすることが出来るようにしている。
【００２０】
以上のようなタペット調整治具１を、図１に示すようにセットし、シックネスゲージｇをセットした後、インナレンチ３の操作部３ｓによりアジャストボルトＢを締め込み、最後にラチェット機構部３ｒによりラチェット音を確認しながら締め付ける。そしてシックネスゲージｇをスライドさせて所望のクリアランスが確認されると、アウタレンチ４によりアジャストナットＮを締付け、規定のトルクにセットする。そしてシックネスゲージｇとタペット調整治具１を取外す。
【００２１】
以上のような調整作業において、従来は習熟者のカンやコツに頼っていた作業が、初級者のような熟練度の低い人でも正確に作業出来るようになり、また、装置構成も簡素であるため安価に構成出来る。
【００２２】
尚、本発明は以上のような実施形態に限定されるものではない。本発明の特許請求の範囲に記載した事項と実質的に同一の構成を有し、同一の作用効果を奏するものは本発明の技術的範囲に属する。
【００２３】
【発明の効果】
以上のように本発明に係るタペット調整治具は、アジャストナットを回転させるためのアウタレンチに、ラチェット式のトルク管理機構を設けるようにしたため、アウタレンチでアジャストナットを締付固定すると同時に規定のトルクにセットすることが出来、作業が簡素化され、また、インナレンチの挿通孔にインナレンチを挿通させて作業を行えば、一連の作業を効率良く行うことができる。
また、トルク管理機構は、底面をカム面とする放射溝とスチールボールの係合力をバネの付勢力で調整する構成なので、装置が簡素化され、しかも調整が容易である。
【図面の簡単な説明】
【図１】本発明に係るタペット調整治具の使用状態を示す説明図
【図２】アウタレンチの説明図
【図３】回転操作体の説明図で（ａ）は全体図、（ｂ）はリング部材の放射溝の説明図、（ｃ）は（ｂ）のＡ−Ａ線断面図
【図４】アウタレンチ本体のフランジ部の説明図
【符号の説明】
１…タペット調整治具、２…アウタレンチ、３…インナレンチ、６…バネ、Ｎ…アジャストナット、Ｂ…アジャストボルト、Ｔ…トルク管理機構。
【図１】
0004245261.tif 000002
【図２】
0004245261.tif 000003
【図３】
0004245261.tif 000004
【図４】
0004245261.tif 000005